【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
高密度焦点式超音波（ＨＩＦＵ）によって組織の所望の治療体積を治療するためのシステムであって、
治療エネルギーを焦点域に送達するように構成されるＨＩＦＵ変換器と、
治療エネルギーが印加されるときに、基本的な治療体積の周縁にわたって、またはそれに沿って、該焦点域を繰り返し配置するようにプログラムされるプロセッサと
を備える、システム。
【請求項２】
前記基本的な治療体積は、前記治療エネルギーが、該基本的な治療体積の周縁に印加されるときに、内部領域が、間接加熱によって治療されるように選択されるサイズを有する、請求項１に記載のシステム。
【請求項３】
前記プロセッサは、前記所望の治療体積内にいくつかの基本的な治療体積を創出するようなパターンに、前記ＨＩＦＵ変換器の焦点域を配置するようにプログラムされる、請求項１に記載のシステム。
【請求項４】
前記プロセッサは、前記所望の組織の治療体積の周囲に基本的な治療体積のシェルを創出するようなパターンに、前記ＨＩＦＵ変換器の焦点域を配置するようにプログラムされる、請求項１に記載のシステム。
【請求項５】
前記プロセッサは、体内の腫瘍または子宮筋腫の周囲に前記基本的な治療体積のシェルを創出するように、前記ＨＩＦＵ変換器の焦点域を配置するようにプログラムされる、請求項４に記載のシステム。
【請求項６】
前記治療エネルギーは、前記焦点域において非線形である、請求項１に記載のシステム。
【請求項７】
前記基本的な治療体積は、円筒形であり、前記焦点域の長さに略等しい直径を有する、請求項１に記載のシステム。
【請求項８】
前記プロセッサは、前記ＨＩＦＵ変換器の位置を調節する、機械的連結を制御するようにプログラムされる、請求項１に記載のシステム。
【請求項９】
前記プロセッサは、電子ビーム操縦器を制御するようにプログラムされる、請求項１に記載のシステム。
【請求項１０】
前記プロセッサは、前記基本的な治療体積の組織が、該基本的な治療体積の周縁の周囲の前記焦点域の各通過によって部分的に切除されるように、該基本的な治療体積の周縁の周囲に前記ＨＩＦＵ変換器の焦点域を配置し、治療エネルギーの印加を制御するようにプログラムされる、請求項１に記載のシステム。
【請求項１１】
高密度焦点式超音波（ＨＩＦＵ）によって、所望の組織の治療体積を治療するためのシステムであって、
治療エネルギーを焦点域に送達するように構成されるＨＩＦＵ変換器と、
基本的な治療体積の周縁が治療エネルギーによって直接治療され、該基本的な治療体積の内部領域が間接的に治療されるように、該治療エネルギーが送達されるとき、該周縁の周囲に該ＨＩＦＵ変換器の焦点域を繰り返し配置することによって、該所望の組織の治療体積内に１つ以上の基本的な治療体積を創出する手段と
を備える、システム。
【請求項１２】
各基本的な治療体積は、前記焦点域の長さに実質的に等しい直径を有する円筒形である、請求項１１に記載のシステム。
【請求項１３】
各基本的な治療体積は、前記焦点域の直径の２倍よりも大きい直径を有する円筒形である、請求項１１に記載のシステム。
【請求項１４】
各基本的な治療体積は、前記焦点域の長さに実質的に等しい高さを有する、請求項１３に記載のシステム。
【請求項１５】
前記１つ以上の基本的な治療体積を創出する手段は、前記焦点域が該基本的な治療体積の周縁の周囲に繰り返し配置されるように前記変換器を移動させる機械的連結を含む、請求項１１に記載のシステム。
【請求項１６】
前記１つ以上の基本的な治療体積を創出する手段は、前記焦点域が該基本的な治療体積の周縁の周囲に繰り返し配置されるように、前記ＨＩＦＵ変換器の焦点域を電子的に配向する電子ビーム操縦器を含む、請求項１１に記載のシステム。
【請求項１７】
前記１つ以上の基本的な治療体積を創出する手段は、前記所望の組織の治療体積内に基本的な治療体積のパターンを創出する、請求項１１に記載のシステム。
【請求項１８】
前記基本的な治療体積のパターンは、前記所望の組織の治療体積の一部を包含するシェルを画定する、請求項１７に記載のシステム。
【請求項１９】
前記シェルは、体内の腫瘍を包含する、請求項１８に記載のシステム。
【請求項２０】
前記シェルは、体内の子宮筋腫を包含する、請求項１８に記載のシステム。
【請求項２１】
前記治療エネルギーは、前記焦点域における組織内において非線形である、ＨＩＦＵ信号である、請求項１１に記載のシステム。
【請求項２２】
高密度焦点式超音波（ＨＩＦＵ）によって、体内の腫瘍または子宮筋腫を治療するためのシステムであって、
治療エネルギーを制御可能方向に焦点域まで送達するように構成されるＨＩＦＵ変換器と、
治療エネルギーが該腫瘍または子宮筋腫の全部または一部を包含する切除用シェルを創出するように印加されるときに、該焦点域を方向付けるようにプログラムされるプロセッサと
を備える、システム。
【請求項２３】
前記プロセッサは、いくつかの基本的な治療体積から前記シェルを形成するパターンで、前記焦点域を方向付けるようにプログラムされる、請求項２２に記載のシステム。
【請求項２４】
前記プロセッサは、各基本的な治療体積の周縁上に前記焦点域を繰り返し方向付けるようにプログラムされる、請求項２３に記載のシステム。
【請求項２５】
前記プロセッサは、前記腫瘍または子宮筋腫の全部または一部を包含するように積層される環状リングのパターンで前記焦点域を方向付けるようにプログラムされる、請求項２２に記載のシステム。
【手続補正２】
【補正対象書類名】明細書
【補正対象項目名】００１４
【補正方法】変更
【補正の内容】
【００１４】
本発明は、例えば、以下の項目も提供する。
（項目１）
高密度焦点式超音波（ＨＩＦＵ）によって組織の所望の治療体積を治療するためのシステムであって、
治療エネルギーを焦点域に送達するように構成されるＨＩＦＵ変換器と、
治療エネルギーが印加されるときに、基本的な治療体積の周縁にわたって、またはそれに沿って、該焦点域を繰り返し配置するようにプログラムされるプロセッサと
を備える、システム。
（項目２）
前記基本的な治療体積は、前記治療エネルギーが、該基本的な治療体積の周縁に印加されるときに、内部領域が、間接加熱によって治療されるように選択されるサイズを有する、項目１に記載のシステム。
（項目３）
前記プロセッサは、前記所望の治療体積内にいくつかの基本的な治療体積を創出するようなパターンに、前記ＨＩＦＵ変換器の焦点域を配置するようにプログラムされる、項目１に記載のシステム。
（項目４）
前記プロセッサは、前記所望の組織の治療体積の周囲に基本的な治療体積のシェルを創出するようなパターンに、前記ＨＩＦＵ変換器の焦点域を配置するようにプログラムされる、項目１に記載のシステム。
（項目５）
前記プロセッサは、体内の腫瘍または子宮筋腫の周囲に前記基本的な治療体積のシェルを創出するように、前記ＨＩＦＵ変換器の焦点域を配置するようにプログラムされる、項目４に記載のシステム。
（項目６）
前記治療エネルギーは、前記焦点域において非線形である、項目１に記載のシステム。
（項目７）
前記基本的な治療体積は、円筒形であり、前記焦点域の長さに略等しい直径を有する、項目１に記載のシステム。
（項目８）
前記プロセッサは、前記ＨＩＦＵ変換器の位置を調節する、機械的連結を制御するようにプログラムされる、項目１に記載のシステム。
（項目９）
前記プロセッサは、電子ビーム操縦器を制御するようにプログラムされる、項目１に記載のシステム。
（項目１０）
前記プロセッサは、前記基本的な治療体積の組織が、該基本的な治療体積の周縁の周囲の前記焦点域の各通過によって部分的に切除されるように、該基本的な治療体積の周縁の周囲に前記ＨＩＦＵ変換器の焦点域を配置し、治療エネルギーの印加を制御するようにプログラムされる、項目１に記載のシステム。
（項目１１）
高密度焦点式超音波（ＨＩＦＵ）によって、所望の組織の治療体積を治療するためのシステムであって、
治療エネルギーを焦点域に送達するように構成されるＨＩＦＵ変換器と、
周縁が、治療エネルギーによって直接治療され、内部領域が、間接的に治療されるように、該治療エネルギーが送達されるとき、基本的な治療体積の周縁の周囲に該ＨＩＦＵ変換器の焦点域を繰り返し配置することによって、該所望の組織の治療体積内に１つ以上の基本的な治療体積を創出する手段と
を備える、システム。
（項目１２）
各基本的な治療体積は、前記焦点域の長さに実質的に等しい直径を有する円筒形である、項目１１に記載のシステム。
（項目１３）
各基本的な治療体積は、前記焦点域の直径の２倍よりも大きい直径を有する円筒形である、項目１１に記載のシステム。
（項目１４）
各基本的な治療体積は、前記焦点域の長さに実質的に等しい高さを有する、項目１３に記載のシステム。
（項目１５）
前記１つ以上の基本的な治療体積を創出する手段は、前記焦点域が該基本的な治療体積の周縁の周囲に繰り返し配置されるように前記変換器を移動させる機械的連結を含む、項目１１に記載のシステム。
（項目１６）
前記１つ以上の基本的な治療体積を創出するための手段は、前記焦点域が該基本的な治療体積の周縁の周囲に繰り返し配置されるように、前記ＨＩＦＵ変換器の焦点域を電子的に配向する電子ビーム操縦器を含む、項目１１に記載のシステム。
（項目１７）
前記１つ以上の基本的な治療体積を創出するための手段は、前記所望の組織の治療体積内に基本的な治療体積のパターンを創出する、項目１１に記載のシステム。
（項目１８）
前記基本的な治療体積のパターンは、前記所望の組織の治療体積の一部を包含するシェルを画定する、項目１７に記載のシステム。
（項目１９）
前記シェルは、体内の腫瘍を包含する、項目１８に記載のシステム。
（項目２０）
前記シェルは、体内の子宮筋腫を包含する、項目１８に記載のシステム。
（項目２１）
前記治療エネルギーは、前記焦点域における組織内において非線形である、ＨＩＦＵ信号である、項目１１に記載のシステム。
（項目２２）
ＨＩＦＵ超音波デバイスを操作して、所望の組織体積を治療する方法であって、
ＨＩＦＵ変換器の焦点域が基本的な治療体積の周縁の周囲に繰り返し配置されるように、該焦点域の位置を選択的に制御することと、
該周縁が、治療エネルギーへの直接曝露によって繰り返し切除され、該基本的な治療体積の内部が、該基本的な治療体積の周縁の直接切除による熱によって間接的に治療されるように、該焦点域が、該基本的な治療体積の周縁の周囲のいくつかの位置に配向されている間、治療エネルギーを該組織に印加することと
を備える、方法。
（項目２３）
前記ＨＩＦＵ変換器の焦点域を選択的に制御して、前記所望の組織体積内に基本的な治療体積のパターンを創出することをさらに備える、項目２２に記載の方法。
（項目２４）
前記基本的な治療体積のパターンは、前記所望の組織体積を部分的または完全に封入するシェルを画定する、項目２３に記載の方法。
（項目２５）
前記焦点域の位置は、前記シェルを形成するためにともに十分に近接している基本的な治療体積のパターンを創出するように制御される、項目２４に記載の方法。
（項目２６）
前記ＨＩＦＵ変換器の焦点域は、該焦点域の長さに略等しい直径にわたって選択的に配置されて、各基本的な治療体積を創出する、項目２２に記載の方法。
（項目２７）
前記ＨＩＦＵ変換器の焦点域を選択的に制御し、前記所望の組織体積内に２つ以上のシェルを創出することをさらに備える、項目２４に記載の方法。
（項目２８）
前記治療エネルギーを印加することは、前記焦点域において非線形であるＨＩＦＵ信号を前記組織に送達することを含む、項目２２に記載の方法。
（項目２９）
前記所望の組織体積の画像を生成することと、
映像表示画面上に該組織の画像を表示することと、
該所望の組織体積の境界を示す入力をユーザから受信することと、
該ユーザからの入力に基づいて、いくつかの隣接する基本的な治療体積を創出するために前記焦点域を移動させて、前記所望の組織体積の一部または全部を封入する切除用シェルを形成するために必要とされるパターンを決定することと
をさらに備える、項目２２に記載の方法。
（項目３０）
前記基本的な治療体積の組織が、該基本的な治療体積の周縁の周囲の前記ＨＩＦＵ変換器の前記焦点域の各通過によって部分的に切除されるように、該焦点域は、該基本的な治療体積の周縁の周囲に配置され、治療エネルギーが印加される、項目２２に記載の方法。
（項目３１）
前記治療エネルギーは、パルスＨＩＦＵ信号である、項目２２に記載の方法。
（項目３２）
前記シェルは、腫瘍または子宮筋腫の全部あるいは一部を含有するように創出される、項目２４に記載の方法。
（項目３３）
高密度焦点式超音波（ＨＩＦＵ）によって、体内の腫瘍または子宮筋腫を治療するためのシステムであって、
治療エネルギーを制御可能方向に焦点域まで送達するように構成されるＨＩＦＵ変換器と、
治療エネルギーが該腫瘍または子宮筋腫の全部または一部を含有する切除用シェルを創出するように印加されるときに、該焦点域を方向付けるようにプログラムされるプロセッサと
を備える、システム。
（項目３４）
前記プロセッサは、いくつかの基本的な治療体積から前記シェルを形成するパターンで、前記焦点域を方向付けるようにプログラムされる、項目３３に記載のシステム。
（項目３５）
前記プロセッサは、各基本的な治療体積の周縁上に前記焦点域を繰り返し方向付けるようにプログラムされる、項目３４に記載のシステム。
（項目３６）
前記プロセッサは、前記腫瘍または子宮筋腫の全部または一部を包含するように積層される環状リングのパターンで前記焦点域を方向付けるようにプログラムされる、項目３３に記載のシステム。
本発明の開示は、発明を実施するための形態にさらに後述される簡素形態として、一連の概念を紹介するように提供される。本発明の開示は、請求される主題の重要となる特徴を識別することを意図する、または請求される主題の範囲を決定する補助として使用されることを意図するものではない。